(57)【特許請求の範囲】
【請求項１】
電子製品の電気接続装置を磁力によって電気的に連結させるにあたり、接続時の騒音減少を実現させた第１および第２電磁電気接続部（１００）（１００ａ）が備えられ、前記第１および第２電磁電気接続部（１００）（１００ａ）は、製品に固定設置されるコンセントボディ（１１０）と、該コンセントボディ（１１０）に選択的に着脱されるプラグボディ（１５０）、および前記第２電磁電気接続部（１００ａ）は、第３電磁電気接続部（２００）と選択的に接触または分離されるようにした電磁電気接続装置の改良構造において、
前記コンセントボディ（１１０）は、
内部の作動空間部（１１１）と一側のロッキング突起（１１２）に一定間隔で複数個が組立設置される連結端子（１１３）と、
前記作動空間部（１１１）の内部に組立設置され、選択的にスライディング動作するハウジング（１１５）と、
前記ハウジング（１１５）に固定設置される磁石（１１６）と、
前記ハウジング（１１５）に一定間隔で複数個組立設置され、連結端子と接触または分離される動作を行うコンセント端子作動部（１２０）とが備えられ、
前記コンセント端子作動部（１２０）は、
中央を中心として両端にそれぞれスプリング作動溝（１２１）（１２２）が形成されたスプリングコネクタ（１２０ａ）と、
前記それぞれのスプリング作動溝（１２１）（１２２）に嵌合する主コンセント端子（１３０）および補助コンセント端子（１３５）と、
前記主コンセント端子（１３０）の内部に組立設置されるスプリング（１３１）と、
前記補助コンセント端子（１３５）の中間外周面に組立設置されるスプリング（１３６）とが備えられることを特徴とする電磁電気接続装置の改良構造。
【請求項２】
前記プラグボディ（１５０）は、
内部のロッキング溝（１５１）に固定設置されるハウジング（１６０）と、
前記ハウジング（１６０）に固定設置される磁石または鉄（１６１）と、
前記ハウジング（１６０）に一定間隔で固定設置され、連結端子（１１３）と選択的に接触または分離されるプラグ端子作動部（１７０）（１８０）とが備えられることを特徴とする請求項１に記載の電磁電気接続装置の改良構造。
【請求項３】
前記プラグ端子作動部（１７０）は、
内部のスプリング作動溝（１９１）にスプリング（１９３）が嵌合し、先端には主プラグ端子（１９５）が組立設置されたスプリングコネクタ（１９０）が備えられることを特徴とする請求項２に記載の電磁電気接続装置の改良構造。
【請求項４】
前記プラグ端子作動部（１８０）は、
内部のスプリング作動溝（１９１）にスプリング（１９３）が嵌合し、先端には主プラグ端子（１９５）が組立設置されたスプリングコネクタ（１９０）と、
前記スプリングコネクタ（１９０）の一端に備えられ、内部のスプリング作動溝（１９２）にスプリング（１９４）が嵌合した補助プラグ端子（１９６）とが備えられることを特徴とする請求項３に記載の電磁電気接続装置の改良構造。
【請求項５】
前記第３電磁電気接続部（２００）は、
一側にロッキング溝（１５１）に嵌合するようにロッキング突起（２１１）が突出形成され、内部には一定間隔で複数のコンセント端子（２１３）が嵌合するように端子ホール（２１２）が形成されたコンセントボディ（２１０）と、
前記コンセントボディ（２１０）の一側先端および内部にそれぞれ備えられる第１磁石（２１５）および第２磁石（２１６）、またはコンセント端子（２１３）を中心として外側に円形の絶縁体および磁石と、
を備えることを特徴とする請求項１に記載の電磁電気接続装置の改良構造。
【発明の詳細な説明】
【技術分野】
【０００１】
本発明は、各種電子製品（例：プラグ、コンセント、一般または防水コネクタ、ソケット、ジャック、アダプタなど）に適用して広く使用できるようにした電磁電気接続装置の改良構造に関するものであって、より詳細には、磁力の性質によって電気または信号接続が円滑に行われるようにすることにより、便利な電気接続および解除を提供し、また、接続時の騒音減少と安定性などの効果を提供し、これにより、製品の品質および信頼性を大幅に向上させ、消費者である使用者に良いイメージを与えるようにしたものである。
【背景技術】
【０００２】
本発明は、本出願人が先に出願した韓国特許出願第２０１１−０００２４０４号（名称：電磁電気接続装置）をより改良発明したものであることを予め明らかにしておく。
【０００３】
周知のように、コンセントには、電源を必要とする各種電子製品に電源を供給できるように屋内配線側の接続器であるコンセントに電源が連結され、電子製品は、運搬および保管が容易となるようにケーブルの端部にプラグが設けられ、プラグをコンセントから分離する時に電源が遮断されるのはもちろん、ケーブルを整理して電子製品の運搬および保管が容易になり、プラグをコンセントに接続する時に電源が供給され、電子製品が動作するようになる。
【０００４】
このような技術に関連する従来の電源接続器具であるプラグおよびコンセントにおいては、図１に示されているように、電子製品に連結されるケーブル４１にプラグ４０が設けられ、その端部にプラグ端子４０ａが突出し、前記プラグ４０のプラグ端子４０ａが挿入されるようにコンセント５０を設け、前記コンセント５０の前方に凹ホール５１を形成し、その底面に端子挿入溝５２を対称形成する構成となる。
【０００５】
前記のような従来のプラグおよびコンセントは、電子製品の電源供給部に一端が連結されるケーブルの他端部にプラグ４０が設けられ、その端部にプラグ端子４０ａが突出し、前記プラグ４０のプラグ端子４０ａがコンセント５０の凹ホール５１に形成される端子挿入溝５２に挿入され、この時、端子挿入溝５２の内側に設けられ、電源に連結される連結片にプラグ端子４０ａが接続され、電子製品に電源が供給されるのである。
【０００６】
このように挿入して締結される電源接続器具であるプラグ４０およびコンセント５０は、暗くて狭い場所で前記プラグ４０をコンセント５０に差し込む時、前記プラグ４０のプラグ端子４０ａを前記コンセント５０の端子挿入溝５２に正確に挿入しなければならない不都合があった。
【０００７】
また、コンセント５０の端子挿入溝５２とプラグ４０のプラグ端子４０ａとが過度にぴったりと挿入された場合には、再び取り外すために大きな力を加えなければならない不都合もあった上に、うまく取り外せない場合、プラグ４０に連結されたケーブルを引っ張って取り外す場合も発生し、連結部位が断線する危険性も発生する問題があった。
【０００８】
一方、コンセント５０の凹ホール５１にプラグ４０のプラグ端子４０ａが挿入される端子挿入溝５２が常に開放されていて、子供らが好奇心で端子挿入溝５２に導電性物体を挿入する場合、感電事故が発生する恐れがあった上に、端子挿入溝５２に異物を挿入する場合には、プラグ４０のプラグ端子４０ａの挿入が不可能になるなどの問題があった。
【０００９】
前述した問題を解決するために、従来は韓国公開特許第２００２−００８０７６６号（韓国出願番号第２００１−００２０５２５号）が出願された。
【００１０】
つまり、前記従来技術は、図２に示されているように構成されるものであり、コンセント２のケース３に凹溝でプラグ挿着部４が形成され、プラグ挿着部４の凹溝内部の平面上に複数の電源端子５、５'が形成される。そして、プラグ挿着部４の内部にプラグ１を磁力によって固定させるための第１磁石６、６'が設けられ、第１磁石６、６'に対応する位置に引力が作用し、プラグ１をプラグ挿着部４に固定させるための第２磁石７、７'がプラグ１に設けられる。
【００１１】
また、プラグ１には、コンセント２のプラグ挿着部４の内部に形成された複数の電源端子５、５'に対応するように、プラグ１の接触面上に複数のプラグ端子８、８'が形成される。そして、コンセント２のケース３の内側には、磁力によって電源をオンオフさせる安全スイッチ１０、１０'と、安全スイッチ１０、１０'を磁力で作動させるためにプラグ１に第３磁石９、９'が形成される。この時、安全スイッチ１０、１０'は、電源端子５、５'に接続された第１接点１１、１１'と、電源供給線２０、２０'に連結された第２接点１２、１２'と、第３磁石９、９'の磁力によって移動して第１接点１１、１１'と第２接点１２、１２'とを互いに連結させるスイッチング部１３、１３'と、第３磁石９、９'の磁力が及ばない時、スイッチング部１３、１３'を元の位置に復元させるための弾性復元手段として弾性体１４、１４'とが設けられる。この時、スイッチング部１３、１３'は、強磁性体で伝導性物質であって、第３磁石９、９'と引力が作用して移動するように構成する。
【００１２】
しかし、スイッチング部１３、１３'に第３磁石９、９'と斥力が作用するように磁石を設けることでスイッチング部１３、１３'を移動させてもよい。また、電源端子５、５'とプラグ端子８、８'との接触位置を容易に合わせるために、本実施形態では、第１磁石６、６'と第２磁石７、７'と第３磁石９、９'が設けられる位置に凹凸を形成することにより、引力によって接触位置が正確に合わせられるように構成したが、それ以外に別の凹凸を形成することで結合方向および位置が正確に合わせられるように構成してもよい。
【００１３】
したがって、このように構成されたプラグ１をコンセント２のプラグ挿着部４に挿入すると、コンセント２に備えられた第１磁石６、６'とプラグ１に形成された第２磁石７、７'との間に引力が作用し、プラグ１がコンセント２のプラグ挿着部４に挿入され、互いに離れることなく簡便に付着させることができる。すると、コンセント２の電源端子５、５'とプラグ１のプラグ端子８、８'とが互いに接触して回路を形成するようになる。
【００１４】
また、このように電源端子５、５'とプラグ端子８、８'とが互いに接触すると共に、第３磁石９、９'によって安全スイッチ１０、１０'のスイッチング部１３、１３'を引力によって移動させて第１接点１１、１１'と第２接点１２、１２'とを互いに連結させることにより、電源供給線２０、２０'と電源端子５、５'とが連結され、電源が電源端子５、５'に供給され、電源端子５、５'と接触したプラグ端子８、８'を介して電気製品に供給されるように回路が形成される。
【００１５】
一方、プラグ１をコンセント２のプラグ挿着部４から取り外す場合には、磁石の引力によって互いに接触していたものであるため、無理な力を加えなくても互いに分離しやすくなる。そして、プラグ１をコンセント２のプラグ挿着部４から取り外す場合には、電源端子５、５'とプラグ端子８、８'とが互いに分離されるのはもちろん、安全スイッチ１０、１０'のスイッチング部１３、１３'を移動させた第３磁石９、９'の引力がなくなり、弾性体１４、１４'によってスイッチング部１３、１３'は元の位置に復元されることにより、第１接点１１、１１'と第２接点１２、１２'との連結状態は遮断され、電源端子５、５'に電源供給が行われなくなる。したがって、電源端子５、５'を手で触ったり、お箸などで接触させる場合にも、電源が供給されていないため、電気安全事故を未然に防止することができる。
【００１６】
しかし、前述した従来技術も次のような多くの問題が発生した。
【００１７】
つまり、前記従来技術は、単なるプラグおよびコンセントの機能以外に、他の電子製品には使用できないことが大きな問題として指摘された。
【００１８】
特に、前記従来技術は、接続時の騒音減少と安定性などの多様な効果を提供することができないという大きな問題も発生した。
【発明の概要】
【発明が解決しようとする課題】
【００１９】
本発明は、上記の従来技術の諸問題を解消するためになされたものであって、第１ないし第１１電磁電気接続部が備えられることを第１の目的とし、前記技術的構成による本発明の第２の目的は、磁力の性質によって電気または信号接続が円滑に行われるようにすることにより、便利な電気接続および解除を提供することであり、第３の目的は、接続時の騒音減少と安定性などの効果を提供することであり、第４の目的は、これにより、製品の品質および信頼性を大幅に向上させ、消費者である使用者に良いイメージを与えるようにした電磁電気接続装置の改良構造を提供することである。
【課題を解決するための手段】
【００２０】
上記の目的を達成するために、本発明は、電子製品の電気接続装置を磁力によって電気的に連結させるにあたり、接続時の騒音減少と安定性、そして、利便性を実現させた第１および第２電磁電気接続部が備えられるが、前記第１および第２電磁電気接続部は、製品に固定設置されるコンセントボディと、該コンセントボディに選択的に着脱されるプラグボディとが備えられることを特徴とする電磁電気接続装置の改良構造を提供する。
【発明の効果】
【００２１】
上述のように、本発明は、第１ないし第１１電磁電気接続部が備えられるようにしたものである。
【００２２】
上記の技術的構成による本発明は、磁力の性質によって電気または信号接続が円滑に行われるようにすることにより、便利な電気接続および解除を提供するものである。
【００２３】
また、本発明は、接続時の騒音減少と安定性などの効果を提供するものである。
【００２４】
本発明は、前記効果によって製品の品質および信頼性を大幅に向上させ、消費者である使用者に良いイメージを与えるようにした非常に有用な発明である。
【図面の簡単な説明】
【００２５】
【図１】従来の電源接続器具であるプラグおよびコンセントを示した斜視図である。
【図２】従来の磁石を用いた電源接続器具を示した断面図である。
【図３】本発明に適用された電磁電気接続装置の第１実施形態の構成図である。
【図４】本発明に適用された電磁電気接続装置の第２実施形態の構成図である。
【図５】本発明に適用された電磁電気接続装置の第３実施形態の構成図である。
【図６】本発明に適用された電磁電気接続装置を用いた使用状態の構成図である。
【図７】本発明に適用された電磁電気接続装置を用いた使用状態の構成図である。
【図８】本発明に適用された電磁電気接続装置を用いた使用状態の構成図である。
【図９】本発明に適用された電磁電気接続装置を用いた使用状態の構成図である。
【図１０】本発明に適用された電磁電気接続装置を用いた使用状態の構成図である。
【図１１】本発明に適用された電磁電気接続装置の第４実施形態の使用状態の構成図である。
【図１２】本発明に適用された電磁電気接続装置の第４実施形態の使用状態の構成図である。
【図１３】本発明に適用された電磁電気接続装置の第５実施形態の使用状態の構成図である。
【図１４】本発明に適用された電磁電気接続装置の第５実施形態の使用状態の構成図である。
【図１５】本発明に適用された電磁電気接続装置の第６実施形態の構成図である。
【図１６】本発明に適用された電磁電気接続装置の第７実施形態の使用状態の構成図である。
【図１７】本発明に適用された電磁電気接続装置の第７実施形態の使用状態の構成図である。
【図１８】本発明に適用された電磁電気接続装置の第８実施形態の構成図である。
【発明を実施するための形態】
【００２６】
以下、本発明の効果を達成するための好ましい実施形態を、添付した図面に基づいて詳細に説明する。
【００２７】
本発明に適用された電磁電気接続装置の改良構造は、図３ないし図１８に示されているように構成されるものである。
【００２８】
下記において本発明を説明するにあたり、係る公知の機能または構成に関する具体的な説明が本発明の要旨を不明にする可能性があると判断された場合、その詳細な説明は省略する。
【００２９】
そして、後述する用語は、本発明における機能を考慮して設定された用語であって、これは、生産者の意図または慣例によって異なり得るため、その定義は本明細書の全般にわたる内容に基づいて行われなければならない。
【００３０】
まず、本発明の電磁電気接続装置の第１および第２実施形態の技術的構成は次の通りである。
【００３１】
つまり、電子製品の電気接続装置を磁力によって電気的に連結させるにあたり、接続時の騒音減少と安定性、そして、利便性を実現させた第１および第２電磁電気接続部１００、１００ａが備えられるが、前記第１および第２電磁電気接続部１００、１００ａは、製品に固定設置されるコンセントボディ１１０と、該コンセントボディ１１０に選択的に着脱されるプラグボディ１５０とが備えられる。
【００３２】
特に、前記コンセントボディ１１０は次のように構成される。
【００３３】
つまり、内部の作動空間部１１１および一側のロッキング突起１１２に一定間隔で複数個が組立設置される連結端子１１３が備えられる。
【００３４】
そして、前記作動空間部１１１の内部に組立設置され、選択的にスライディング動作するハウジング１１５が備えられる。
【００３５】
また、前記ハウジング１１５に固定設置される磁石１１６が備えられる。
【００３６】
さらに、前記ハウジング１１５に一定間隔で複数個組立設置され、連結端子と接触または分離される動作を行うコンセント端子作動部１２０が備えられる。
【００３７】
これに加えて、前記ハウジング１１５には、磁石１１６の性質が製品側に伝達されないように磁力減衰鉄１１７が備えられる。
【００３８】
一方、前記コンセント端子作動部１２０は次のように構成される。
【００３９】
つまり、中央を中心として両端にそれぞれスプリング作動溝１２１、１２２が形成されたスプリングコネクタ１２０ａが備えられる。
【００４０】
そして、前記それぞれのスプリング作動溝１２１、１２２に嵌合する主コンセント端子１３０および補助コンセント端子１３５が備えられる。
【００４１】
また、前記主コンセント端子１３０の内部に組立設置されるスプリング１３１が備えられる。
【００４２】
さらに、前記補助コンセント端子１３５の中間外周面に組立設置されるスプリング１３６が備えられる。
【００４３】
一方、前記プラグボディ１５０は次のように構成される。
【００４４】
つまり、内部のロッキング溝１５１に固定設置されるハウジング１６０が備えられる。
【００４５】
また、前記ハウジング１６０に固定設置される磁石または鉄１６１が備えられる。
【００４６】
そして、前記ハウジング１６０に一定間隔で固定設置され、連結端子１１３と選択的に接触または分離されるプラグ端子作動部１７０、１８０が備えられる。
【００４７】
特に、前記プラグ端子作動部１７０は、内部のスプリング作動溝１９１にスプリング１９３が嵌合し、先端には主プラグ端子１９５が組立設置されたスプリングコネクタ１９０が備えられる。
【００４８】
また、前記プラグ端子作動部１８０は、内部のスプリング作動溝１９１にスプリング１９３が嵌合し、先端には主プラグ端子１９５が組立設置されたスプリングコネクタ１９０と、前記スプリングコネクタ１９０の一端に備えられ、内部のスプリング作動溝１９２にスプリング１９４が嵌合した補助プラグ端子１９６が備えられる。
【００４９】
以下、前記のように構成された本発明の電磁電気接続装置の第１および第２実施形態の作用効果を説明する。
【００５０】
まず、本発明に適用された図３は、本発明に適用された電磁電気接続装置の第１実施形態の構成図で、図４は、本発明に適用された電磁電気接続装置の第２実施形態の構成図であり、端子が外部端子と内部端子とが離れており、磁性体（磁石）が接続すると、磁力によって端子が接続する方式である。
【００５１】
以下、図４をみながら、本発明の第１実施形態より第２実施形態を先に説明する。
【００５２】
上段の図は、第１および第２電磁電気接続部１００、１００ａが互いに分離された状態を示したものであり、矢印の下段の図は、前記第１および第２電磁電気接続部１００、１００ａが結合された状態を示したものである。
【００５３】
前記上段の分離された図において、第１電磁電気接続部１００のハウジング１１５およびコンセント端子作動部１２０は作動しない状態で一側に位置し、第２電磁電気接続部１００ａのプラグ端子作動部１８０も作動しない状態で位置する。
【００５４】
前記のような状態で、第１電磁電気接続部１００に第２電磁電気接続部１００ａを近接させると、下段の結合された図のように磁力によって互いに緊密に接触するようになる。
【００５５】
つまり、ロッキング溝１５１がロッキング突起１１２に嵌合すると、互いに磁石１１６、１６１の性質によって緊密に密着する。このような状態では、主プラグ端子１９５が連結端子１１３に連結されるのはもちろん、連結端子１１３は、主コンセント端子１３０および補助コンセント端子１３５と接触し、結果的に電源が印加される効果を提供する。
【００５６】
そして、この時、スプリング作動溝１９２に位置したスプリング１９４は、磁力の性質によって互いに当接する過程で前方に圧縮され、これと共に、前記スプリング作動溝１９１に位置したスプリング１９３は、主プラグ端子１９５が連結端子１１３と互いに当接して後に後退しながら圧縮される。
【００５７】
また、前記スプリング作動溝１２２に位置したスプリング１３６は、ハウジング１１５が前方に前進する過程で前方側に圧縮され、スプリング作動溝１２１に位置したスプリング１３１は、主コンセント端子１３０が連結端子１１３と互いに当接して後に後退しながら圧縮される。
【００５８】
結果的に、スプリング１９３、１３１は、端子にテンション力を付与する役割を果たし、スプリング１９４、１３６は、長さを調整しながら後退を担当する。
【００５９】
もちろん、前述した状態で再び第１および第２電磁電気接続部１００、１００ａを離隔させると、上部図のように互いに分離されながら、前述のように、各部品は最初の状態に位置するようになる。
【００６０】
また、本発明の第１電磁電気接続部１００に備えられた磁力減衰鉄１１７は、電子製品に磁力の性質が及ばないように遮断させる役割を果たす。
【００６１】
一方、本発明の図３は第１実施形態で、第２実施形態のスプリング１９４と補助プラグ端子１９６がないものであり、プラグ端子作動部１７０を技術的に簡単に構成しながら、第１および第２電磁電気接続部１００、１００ａを磁力によって互いに接触する機能を果たすようになる。
【００６２】
また、本発明の電磁電気接続装置の第３実施形態の技術的構成は次の通りである。
【００６３】
つまり、前述した第２電磁電気接続部１００ａが第３電磁電気接続部２００と選択的に接触または分離されるようにすることを特徴として構成される。
【００６４】
この時、前記第３電磁電気接続部２００は、一側にロッキング溝１５１に嵌合するようにロッキング突起２１１が突出形成され、内部には一定間隔で複数のコンセント端子２１３が嵌合するように端子ホール２１２が形成されたコンセントボディ２１０と、前記コンセントボディ２１０の一側先端および内部にそれぞれ備えられる第１磁石２１５および第２磁石２１６とが備えられる。
【００６５】
さらに、本発明は、前記コンセント端子２１３を中心として外側に円形の絶縁体および磁石を備えて使用可能にするのはもちろん、これは、コンセント端子２１３と磁石との間に絶縁体があって、磁石に電気が通じないようにするためである。
【００６６】
以下、前記のように構成された本発明の電磁電気接続装置の第３実施形態の作用効果を説明する。
【００６７】
まず、本発明の第２電磁電気接続部１００ａは前述したのと同様に作動するので、ここでは詳細な説明は省略する。
【００６８】
ただし、これと結合される第３電磁電気接続部２００は次のように作用する。
【００６９】
つまり、第２および第３電磁電気接続部１００ａ、２００が互いに結合すると、主プラグ端子１９５が端子ホール２１２に嵌合しながらコンセント端子２１３に電源を印加させる。
【００７０】
この時、端子ホール２１２の外周面とコンセント端子２１３の外周面には第１および第２磁石２１５、２１６が備えられ、プラグボディ１５０の磁石１６１と磁力の性質によって緊密に接続する。
【００７１】
もちろん、前述した状態で再び離隔させると、すべての部品が最初の状態に復帰し、これ以外の残りの技術的作用効果は前述したのと同様に作動する。
【００７２】
前記のような本発明の第１、第２および第３実施形態は、図６ないし図１０に示されているように様々な使用状態で実施できるもので、雌雄防水カプラと雌雄プラグ、そして、雌雄電灯ソケットなどで多方面に組立てて使用できるのはもちろんである。
【００７３】
また、本発明の電磁電気接続装置の第４実施形態の技術的構成は次の通りである。
【００７４】
つまり、前記電磁電気接続装置は、ボディの内部に補助プラグ端子３０１および磁石３０３が設けられ、外部にはコンセント３５０に挿入できるように主プラグ端子３０２が突出した第４電磁電気接続器３００が備えられる。
【００７５】
そして、ボディの内部にプラグ端子作動部１７０が備えられた第５電磁電気接続器３１０が備えられる。
【００７６】
また、一側ボディの内部にプラグ端子作動部１７０と、他側ボディの内部にプラグ端子挿入孔３２１とが形成された第６電磁電気接続器３２０が備えられるが、前記第４および第５電磁電気接続器３００、３１０を互いに着脱させて使用するか、または第４および第６電磁電気接続器３００、３２０を互いに着脱させて使用することを特徴として構成される。
【００７７】
以下、前記のように構成された本発明の電磁電気接続装置の第４実施形態の作用効果を説明する。
【００７８】
まず、図１１と図１２は、本発明に適用された電磁電気接続装置の第４実施形態の様々な使用状態の構成図である。
【００７９】
つまり、図１１は、コンセント３５０に第４および第５電磁電気接続器３００、３１０が接続されて使用される状態を示したものであり、図１２は、コンセント３５０に第４および第６電磁電気接続器３００、３２０が接続されて使用される状態を示したものである。
【００８０】
これをより詳細に説明すれば、第５電磁電気接続部３１０のプラグ端子作動部１７０が補助プラグ端子３０１に接触すると、主プラグ端子３０２に電源が印加され、この過程で、磁石３０３は、プラグ端子作動部１７０の磁石と相互磁力によって接続しようとする力を提供する。
【００８１】
また、第６電磁電気接続部３２０のプラグ端子作動部１７０が補助プラグ端子３０１に接触すると、主プラグ端子３０２に電源が印加され、残りの技術的作用は前述したのと同様に作動し、以後、互いに分離すると、最初の状態に復帰するのはもちろんである。
【００８２】
さらに、本発明の電磁電気接続装置の第５実施形態の技術的構成は次の通りである。
【００８３】
つまり、雄防水カプラ４５１が選択的に着脱されるように雌防水カプラ４５０の内部には第７電磁電気接続器４００が備えられるが、該第７電磁電気接続器は、内部にスプリング４１３が嵌合するようにスプリング作動溝４１１が形成されたスプリングコネクタ４１０が備えられる。
【００８４】
そして、前記スプリングコネクタ４１０の一側内部に形成される傾斜面４２１および作動孔４１２が備えられる。
【００８５】
また、前記スプリングコネクタ４１０の内部に組立設置され、一側に端子先端部４２２が形成された主コンセント端子４２０が備えられる。
【００８６】
さらに、前記スプリングコネクタ４１０の他側内部に組立てられ、内部に孔４３１が形成されたハウジング４３０が備えられる。
【００８７】
これに加えて、前記ハウジング４３０の内部には補助コンセント端子４４０が組立設置される。
【００８８】
以下、前記のように構成された本発明の電磁電気接続装置の第５実施形態の作用効果を説明する。
【００８９】
まず、図１３と図１４は、本発明に適用された電磁電気接続装置の第５実施形態の様々な使用状態の構成図であり、特に、図１３は、雌防水カプラ４５０と雄防水カプラ４５１とが結合されるもので、図１４は、雌電灯防水カプラ４６０と雄電灯防水カプラ４６１とが結合されることを示したものである。
【００９０】
これをより詳細に説明すれば、第７電磁電気接続部４００が作動する前の状態図において、雄防水カプラまたは雄電灯防水カプラがカプラに挿入されながら端子が端子先端部４２２を押すと、主コンセント端子４２０がハウジング４３０側に押されて孔４３１に挿入され、結果的に補助コンセント端子４４０に接続され、電源が印加される。この過程で、スプリング作動溝４１１に位置したスプリング４１３は圧縮される。特に、端子先端部４２２が押されても作動孔４１２を外れなくなるので、防水機能は維持される。もちろん、カプラを互いに分離しながら端子先端部４２２が原状復帰すると、傾斜面４２１によって主コンセント端子４２０はそれ以上外部に出ない状態で気密を維持するようになる。
【００９１】
前述した技術の方式は、カプラ方式または磁石による接続方式や挿入方式などの技術が応用可能である。
【００９２】
また、本発明の電磁電気接続装置の第６および第７実施形態の技術的構成は次の通りである。
【００９３】
つまり、製品に着脱組立てられる第８電磁電気接続器５００と、該第８電磁電気接続器と互いに着脱される第９電磁電気接続器５５０とが備えられるが、前記第８電磁電気接続器５００は、内部に一定間隔で複数の雌端子５１４および磁石５１５が設けられると共に、一側には一対のロッキング溝５１１および係止溝５１２が形成され、前記係止溝５１２の内側には係止片５１３が形成されたボディ５１０が備えられる。
【００９４】
そして、前記第９電磁電気接続器５５０は、内部に一定間隔で複数の雄端子５６２および磁石５６５が設けられると共に、一側には一対のロッキング突起５６１および係止突起５６３が設けられ、前記雄端子の裏側にはコネクタ５７０が組立設置されたボディ５６０が備えられる。
【００９５】
また、前記第９電磁電気接続器５５０と互いに着脱される第８電磁電気接続器５００を各種電子機器または通信端末（例：携帯電話、ＰＤＡ、ノートパソコン、携帯電話ケースなど）に一体に固定設置するか、または着脱式に組立設置することを特徴として構成される。
【００９６】
以下、前記のように構成された本発明の電磁電気接続装置の第６および第７実施形態の作用効果を説明する。
【００９７】
まず、図１５は、本発明に適用された電磁電気接続装置の第６実施形態の構成図であり、図１６と図１７は、本発明に適用された電磁電気接続装置の第７実施形態の様々な使用状態の構成図である。
【００９８】
これをより詳細に説明すれば、第８電磁電気接続部５００は、電子製品に固定設置されるか、または選択的に着脱されるように使用することができる。
【００９９】
前記のような第８電磁電気接続部５００に第９電磁電気接続部５５０を結合すると、ロッキング突起５６１がロッキング溝５１１に嵌合する。そして、この過程で、雄端子５６２は雌端子５１４に嵌合して電源が印加される。これと共に、一側ボディ５６０の磁石と他側ボディ５１０の磁石５１５とは、相互磁力の性質によって引き寄せる力を発揮して互いに緊密に密着する。
【０１００】
特に、前記ボディ５１０の係止片５１３は、電子製品に強固に固定設置できるようにサポートし、ボディ５６０の係止突起５６３は係止溝５１２に係止され、前記両ボディ５６０、５１０が互いに緊密に組立設置できるようにサポートする。
【０１０１】
もちろん、前述した動作の逆順に作動すると簡単に分離できるのは当然である。
【０１０２】
また、本発明の電磁電気接続装置の第８実施形態の技術的構成は次の通りである。
【０１０３】
つまり、前記電磁電気接続装置は、製品に着脱組立てられる第１０電磁電気接続器６００と、一端は第１０電磁電気接続器と着脱され、他端はジャック６６１が設けられた充電器６６０と着脱される第１１電磁電気接続器６５０とが備えられるが、前記第１０電磁電気接続器６００は、一側には複数の端子６１１および磁石６１３が備えられるのはもちろん、他側には電子製品に着脱されるようにジャック６１２が突出形成されたボディ６１０が備えられる。
【０１０４】
また、前記第１１電磁電気接続器６５０は、一側にはプラグ端子作動部１７０および磁石６５３が備えられるのはもちろん、他側にはジャックが着脱されるようにジャック挿入孔６５２が形成されたボディ６５１が備えられる。
【０１０５】
以下、前記のように構成された本発明の電磁電気接続装置の第８実施形態の作用効果を説明する。
【０１０６】
まず、図１８は、本発明に適用された電磁電気接続装置の第８実施形態の構成図である。
【０１０７】
これをより詳細に説明すれば、第１０電磁電気接続部６００は、電子製品６７０に組立てるもので、ジャック６１２を電子製品の穴に差し込む。
【０１０８】
そして、前記第１０電磁電気接続部６００には第１１電磁電気接続部６５０が接続され、プラグ端子作動部１７０が端子６１１に接続される。この時、磁石６５３、６１３の性質によって互いに緊密に密着するのはもちろんである。そして、前記第１１電磁電気接続部６５０の一端にはジャック６６１がジャック挿入孔６５２に嵌合するように充電器６６０が連結される。結果的に充電器の電源が電子製品に印加されるのはもちろんである。
【０１０９】
もちろん、前述した作用を逆順に作動すると前記部品を互いに簡単に分離させることができるのはもちろんである。
【０１１０】
一方、本発明は、上記の構成部を適用するにあたり多様に変形可能であり、様々な形態を取ることができる。
【０１１１】
そして、本発明は、上記の詳細な説明で言及される特別な形態に限定されるものではないと理解されなければならず、むしろ添付した請求の範囲によって定義される本発明の精神および範囲内にあるすべての変形物と均等物および代替物を含むものと理解されなければならない。
【産業上の利用可能性】
【０１１２】
本発明の電磁電気接続装置の改良構造の技術的思想は、実際に同じ結果を繰り返し実施可能なものであり、特に、このような本願発明を実施することにより、技術発展を促進して産業発展に貢献することができ、保護する価値が十分ある。
【図１】
0006014894.tif 000002
【図２】
0006014894.tif 000003
【図３】
0006014894.tif 000004
【図４】
0006014894.tif 000005
【図５】
0006014894.tif 000006
【図６】
0006014894.tif 000007
【図７】
0006014894.tif 000008
【図８】
0006014894.tif 000009
【図９】
0006014894.tif 000010
【図１０】
0006014894.tif 000011
【図１１】
0006014894.tif 000012
【図１２】
0006014894.tif 000013
【図１３】
0006014894.tif 000014
【図１４】
0006014894.tif 000015
【図１５】
0006014894.tif 000016
【図１６】
0006014894.tif 000017
【図１７】
0006014894.tif 000018
【図１８】
0006014894.tif 000019